(57)【特許請求の範囲】
【請求項１】
ユーザ端末及び前記ユーザ端末と通信するサーバを有する閲覧システムであって、
前記サーバは、都市高速道路を表示するための管理図情報及び前記管理図情報の所定の領域を指定する領域情報を含む地図情報と、前記領域情報に対応した関連図情報と、を記憶する記憶部を備え、
前記ユーザ端末は、
所定の場所に対応した前記地図情報の一部の送信を要求する第１送信要求を前記サーバに送信する送信部と、
前記第１送信要求に応じた前記地図情報の一部を前記サーバから受信する受信部と、
前記受信部が受信した一部の地図情報に含まれる一部の管理図情報上に、前記一部の管理図情報内の所定の領域を指定する領域情報を透明にして配置するようにして、第１表示画面に表示する表示制御部と、
前記第１表示画面上の所定の位置を指定可能な入力部と、
前記入力部が指定した位置が、前記領域情報によって指定される領域内に存在する場合、前記入力部が指定した位置に存在する前記領域情報を特定する制御部と、を備え、
前記送信部は、特定された前記領域情報に対応した関連図情報の送信を要求する第２送信要求を前記サーバに送信し、
前記受信部は、前記第２送信要求に応じた前記関連図情報を前記サーバから受信し、
前記表示制御部は、前記受信部が受信した前記関連図情報を、前記第１表示画面とは異なる第２表示画面に表示する、
ことを特徴とする閲覧システム。
【請求項２】
前記地図情報は、沿道地図情報を含み、
前記表示制御部は、前記受信部が受信した一部の地図情報に含まれる一部の沿道地図情報に一部の管理図情報を重畳し、前記一部の管理図情報上に対応する領域情報を透明にして配置するようにして、前記第１表示画面に表示する、請求項１に記載の閲覧システム。
【請求項３】
前記記憶部は、同じ場所に対応し且つ優先度を有する複数の管理図情報と、前記複数の管理図情報のそれぞれに対応した領域情報と、を記憶し、
前記第１送信要求は、前記所定の場所に対応した全ての管理図情報と、前記全ての管理図情報にそれぞれ対応した全ての領域情報の送信の要求である、請求項１又は２に記載の閲覧システム。
【請求項４】
前記表示制御部は、前記受信部が受信した全ての管理図情報を重畳し、それらの上に、優先度の高い管理図情報に対応した領域情報のみを透明にて配置するようにして、前記第１表示画面に表示する、請求項３に記載の閲覧システム。
【請求項５】
ユーザ端末及び前記ユーザ端末と通信するサーバを有する閲覧システムによる閲覧方法であって、
前記サーバは、都市高速道路を表示するための管理図情報及び前記管理図情報の所定の領域を指定する領域情報を含む地図情報と、前記領域情報に対応した関連図情報と、を記憶部に記憶し、
前記ユーザ端末は、
所定の場所に対応した前記地図情報の一部の送信を要求する第１送信要求を前記サーバに送信し、
前記第１送信要求に応じた前記地図情報の一部を前記サーバから受信し、
前記受信した一部の地図情報に含まれる一部の管理図情報上に、前記一部の管理図情報内の所定の領域を指定する領域情報を透明にして配置するようにして、第１表示画面に表示し、
前記第１表示画面上の所定の位置の指定を受け付け、
前記指定を受け付けた位置が、前記領域情報によって指定される領域内に存在する場合、前記指定を受け付けた位置に存在する前記領域情報を特定し、
特定された前記領域情報に対応した関連図情報の送信を要求する第２送信要求を前記サーバに送信し、
前記第２送信要求に応じた前記関連図情報を前記サーバから受信し、
受信した前記関連図情報を、前記第１表示画面とは異なる第２表示画面に表示する、
ことを含むことを特徴とする閲覧方法。
【請求項６】
都市高速道路を表示するための管理図情報及び前記管理図情報の所定の領域を指定する領域情報を含む地図情報と、前記領域情報に対応した関連図情報と、を記憶する記憶部を備えるサーバと通信し且つ入力部を有するユーザ端末の制御プログラムであって、
所定の場所に対応した前記地図情報の一部の送信を要求する第１送信要求を前記サーバに送信し、
前記第１送信要求に応じた前記地図情報の一部を前記サーバから受信し、
前記受信した一部の地図情報に含まれる一部の管理図情報上に、前記一部の管理図情報内の所定の領域を指定する領域情報を透明にして配置するようにして、第１表示画面に表示し、
前記第１表示画面上の所定の位置の指定を受け付け、
前記指定を受け付けた位置が、前記領域情報によって指定される領域内に存在する場合、前記指定を受け付けた位置に存在する前記領域情報を特定し、
特定された前記領域情報に対応した関連図情報の送信を要求する第２送信要求を前記サーバに送信し、
前記第２送信要求に応じた前記関連図情報を前記サーバから受信し、
受信した前記関連図情報を、前記第１表示画面とは異なる第２表示画面に表示する、
ことを前記ユーザ端末に実行させるための制御プログラム。
【発明の詳細な説明】
【技術分野】
【０００１】
本発明は、閲覧システム、閲覧方法及び制御プログラムに関する。
【背景技術】
【０００２】
従来から、都市高速道路、河川、鉄道又は上下水道等の社会基盤施設の閲覧システムでは、地図情報に基づく地図画像と社会基盤施設に関する画像とが重畳されて表示画面に表示され、社会基盤施設の閲覧又は管理が行われることが知られている。このような閲覧システムは、社会基盤施設に関する画像を含む地図画像を、拡大表示、縮小表示又はスクロール表示する機能、及び、社会基盤施設に関連付けられた属性情報の表示機能等を有している。
【０００３】
例えば、特許文献１には、都市高速道路又は鉄道等の沿線に設置されている社会基盤施設の設置位置及び社会基盤施設間の地図を連続的に自動表示する施設管理システムが記載されている。この施設管理システムは、都市高速道路又は鉄道等の線形の社会基盤施設に対するスクロール表示機能、及び、社会基盤施設に関連付けられた、施設名称、施設年月日等の属性表示機能等を有している。属性表示機能では、ユーザがポインタを移動操作して地図上の社会基盤施設を指定することにより、指定された社会基盤施設の属性が表示画面に表示される。
【先行技術文献】
【特許文献】
【０００４】
【特許文献１】特開平９−８１６２８号公報
【発明の概要】
【発明が解決しようとする課題】
【０００５】
しかしながら、従来の閲覧システムでは、社会基盤施設を管理するための管理図情報の表示中に当該社会基盤施設に対応する関連図情報を確認するために、ユーザは、関連図情報のファイルを検索して、関連図情報の表示画面を改めて表示する必要があった。このため、管理図情報の表示機能と関連図情報の表示機能とが連動しておらず、閲覧システムの操作性に対するユーザの不満が生じていた。
【０００６】
また、表示された社会基盤施設に対するユーザの指示によって社会基盤施設の属性が表示される機能では、都市高速道路、河川、鉄道又は上下水道等のような細長い線形の形状の社会基盤施設を、ユーザがポインタを介して正確に指定することが容易ではなかった。
【０００７】
本発明は、このような課題を解決すべくなされたものであり、表示画面に表示された管理図情報に対応する関連図情報を表示させるユーザの操作の利便性を向上させることを可能とする閲覧システム、閲覧方法及び制御プログラムを提供することを目的とする。また、本発明は、都市高速道路等の細長い形状の社会基盤施設に沿って配置される各設備の補修計画や点検計画を立案するのに際して、効率のよい作業計画を立案することを可能とする閲覧システム、閲覧方法及び制御プログラムを提供することを目的とする。
【課題を解決するための手段】
【０００８】
本発明に係る閲覧システムは、ユーザ端末及びユーザ端末と通信するサーバを有する閲覧システムであって、サーバは、都市高速道路を表示するための管理図情報及び管理図情報の所定の領域を指定する領域情報を含む地図情報と、領域情報に対応した関連図情報と、を記憶する記憶部を備え、ユーザ端末は、所定の場所に対応した地図情報の一部の送信を要求する第１送信要求をサーバに送信する送信部と、第１送信要求に応じた地図情報の一部をサーバから受信する受信部と、受信部が受信した一部の地図情報に含まれる一部の管理図情報上に、一部の管理図情報内の所定の領域を指定する領域情報を透明にして配置するようにして、第１表示画面に表示する表示制御部と、第１表示画面上の所定の位置を指定可能な入力部と、入力部が指定した位置が、領域情報によって指定される領域内に存在する場合、入力部が指定した位置に存在する領域情報を特定する制御部と、を備え、送信部は、特定された領域情報に対応した関連図情報の送信を要求する第２送信要求をサーバに送信し、受信部は、第２送信要求に応じた関連図情報をサーバから受信し、表示制御部は、受信部が受信した関連図情報を、第１表示画面とは異なる第２表示画面に表示する。
【０００９】
また、本発明に係る閲覧システムにおいて、地図情報は、沿道地図情報を含み、表示制御部は、受信部が受信した一部の地図情報に含まれる一部の沿道地図情報に一部の管理図情報を重畳し、一部の管理図情報上に対応する領域情報を透明にして配置するようにして、第１表示画面に表示することが好ましい。
【００１０】
また、本発明に係る閲覧システムにおいて、記憶部は、同じ場所に対応し且つ優先度を有する複数の管理図情報と、複数の管理図情報のそれぞれに対応した領域情報と、を記憶し、第１送信要求は、所定の場所に対応した全ての管理図情報と、全ての管理図情報にそれぞれ対応した全ての領域情報の送信の要求であることが好ましい。
【００１１】
また、本発明に係る閲覧システムにおいて、表示制御部は、受信部が受信した全ての管理図情報を重畳し、それらの上に、優先度の高い管理図情報に対応した領域情報のみを透明にて配置するようにして、第１表示画面に表示することが好ましい。
【００１２】
本発明に係る閲覧方法は、ユーザ端末及びユーザ端末と通信するサーバを有する閲覧システムによる閲覧方法であって、サーバは、都市高速道路を表示するための管理図情報及び管理図情報の所定の領域を指定する領域情報を含む地図情報と、領域情報に対応した関連図情報と、を記憶部に記憶し、ユーザ端末は、所定の場所に対応した地図情報の一部の送信を要求する第１送信要求をサーバに送信し、第１送信要求に応じた地図情報の一部をサーバから受信し、受信した一部の地図情報に含まれる一部の管理図情報上に、一部の管理図情報内の所定の領域を指定する領域情報を透明にして配置するようにして、第１表示画面に表示し、第１表示画面上の所定の位置の指定を受け付け、指定を受け付けた位置が、領域情報によって指定される領域内に存在する場合、指定を受け付けた位置に存在する領域情報を特定し、特定された領域情報に対応した関連図情報の送信を要求する第２送信要求をサーバに送信し、第２送信要求に応じた関連図情報をサーバから受信し、受信した関連図情報を、第１表示画面とは異なる第２表示画面に表示する、ことを含む。
【００１３】
本発明に係る制御プログラムは、都市高速道路を表示するための管理図情報及び管理図情報の所定の領域を指定する領域情報を含む地図情報と、領域情報に対応した関連図情報と、を記憶する記憶部を備えるサーバと通信し且つ入力部を有するユーザ端末の制御プログラムであって、所定の場所に対応した地図情報の一部の送信を要求する第１送信要求をサーバに送信し、第１送信要求に応じた地図情報の一部をサーバから受信し、受信した一部の地図情報に含まれる一部の管理図情報上に、一部の管理図情報内の所定の領域を指定する領域情報を透明にして配置するようにして、第１表示画面に表示し、第１表示画面上の所定の位置の指定を受け付け、指定を受け付けた位置が、領域情報によって指定される領域内に存在する場合、指定を受け付けた位置に存在する領域情報を特定し、特定された領域情報に対応した関連図情報の送信を要求する第２送信要求をサーバに送信し、第２送信要求に応じた関連図情報をサーバから受信し、受信した関連図情報を、第１表示画面とは異なる第２表示画面に表示する、ことをサーバに実行させる。
【発明の効果】
【００１４】
本発明に係る閲覧システム、閲覧方法及び制御プログラムは、表示画面に表示された管理図情報に対応する関連図情報を表示させるユーザの操作の利便性を向上させることが可能となる。
【図面の簡単な説明】
【００１５】
【図１】閲覧システム１の概略構成の一例を示す図である。
【図２】ユーザ端末２の概略構成の一例を示す図である。
【図３】サーバ３の概略構成の一例を示す図である。
【図４】ユーザ端末２によって表示されるメニュー画面４００の一例を示す図である。
【図５】地図情報の一例について説明するための模式図である。
【図６】管理図表示画面７０１の一例について説明するための模式図である。
【図７】ユーザ端末２によって表示される管理図閲覧画面７００の一例を示す図である。
【図８】地図情報を構成する各レイヤの一例について説明するための模式図である。
【図９】ユーザ端末２が有する閲覧機能の一例について説明するための画面遷移図である。
【図１０】各種テーブルのデータ構造の一例を示す図である。
【図１１】閲覧システム１の動作シーケンスの一例を示す図である。
【図１２】閲覧要求作成処理の動作フローの一例を示す図である。
【図１３】ユーザ入力特定処理の動作フローの一例を示す図である。
【図１４】画面作成処理の動作フローの一例を示す図である。
【発明を実施するための形態】
【００１６】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１７】
（閲覧システムの概要）
本実施形態の閲覧システム１では、ユーザは、ユーザ端末２を操作して、ユーザ端末２と通信するサーバ３によって管理される地図情報及び関連図情報を閲覧する。地図情報は、都市高速道路を表示するための管理図情報、管理図情報内の関連領域を指定するための一又は複数の領域情報、及び都市高速道路周辺の建築物等を含む一般的な地図を示す沿道地図情報を含む。なお、関連領域は、所定の領域の一例である。また、管理図情報は、都市高速道路の２次元形状データ又は３次元形状データであり、２次元平面地図又は３次元立体地図上に表示するためのベクトル形式で記憶されている。また、管理図情報は、アイコンを表示するためのアイコン画像データであってもよい。また、領域情報は、管理図情報内の所定の閉領域である関連領域を規定するためのベクトル形式で記憶され、管理図情報によって表示される都市高速道路の所定の一部分に対応付けられている。そして、関連図情報は、領域情報に対応し且つ都市高速道路に関連した図面の情報であり、ラスタ形式又はドキュメント形式等で記憶されている。以下、都市高速道路を、単に施設と称する場合がある。
【００１８】
まず、ユーザは、所定の場所に対応した地図情報をユーザ端末２に表示させる場合、ユーザ端末２を操作して、当該地図情報の一部の送信を要求する地図情報送信要求をサーバ３に送信する。次に、サーバ３は、ユーザ端末２から地図情報送信要求を受信すると、地図情報送信要求によって示される所定の場所に関する所定範囲内の地図情報を特定する。次に、サーバ３は、特定された地図情報の一部（所定範囲内の地図情報）を、地図情報送信要求を送信したユーザ端末２に送信する。
【００１９】
次に、地図情報送信要求を送信したユーザ端末２が、地図情報送信要求に応じた地図情報の一部をサーバ３から受信する。ユーザ端末２が受信した一部の地図情報には、一部の管理図情報（所定範囲内の管理図情報）と一部の管理図情報内の一又は複数の関連領域を指定するための一又は複数の領域情報とが含まれる。ユーザ端末２は、受信した一部の地図情報に含まれる一部の管理図情報上に、一部の管理図情報内の領域情報を透明にして配置し、透明の領域情報を重畳した一部の管理図情報を管理図表示画面に表示する。なお、管理図表示画面は、第１表示画面の一例である。
【００２０】
ユーザが入力部（例えば、マウス等のポインティングデバイス）を介して領域情報を指定する入力を行うと、指定された領域情報が特定される。すなわち、ユーザ端末２が、ユーザによって指定された位置が関連領域内に存在すると判定した場合、指定された位置に存在する関連領域を指定する領域情報を特定する。
【００２１】
次に、ユーザ端末２は、特定された領域情報に対応した関連図情報の送信を要求する関連図情報送信要求をサーバ３に送信する。サーバ３は、ユーザ端末２から関連図情報送信要求を受信すると、受信した関連図情報送信要求によって示される関連図情報を特定し、特定された関連図情報を、関連図情報送信要求を送信したユーザ端末２に送信する。
【００２２】
次に、関連図情報送信要求を送信したユーザ端末２が、関連図情報送信要求に応じた関連図情報をサーバ３から受信する。そして、ユーザ端末２は、受信した関連図情報を、管理図表示画面とは異なる関連図表示画面に表示する。なお、関連図表示画面は、第２表示画面の一例である。
【００２３】
以上、説明したとおり、ユーザ端末２は、管理図情報と、管理図情報内の一又は複数の透明の領域情報とを管理図表示画面に表示する。そして、ユーザ端末２は、ユーザによって指定された位置が、領域情報によって指定される関連領域内に存在すると判定した場合、領域情報に対応した関連図情報をサーバ３から受信することができる。これにより、ユーザ端末２及びサーバ３を有する閲覧システム１は、管理図表示画面に表示された管理図情報に対応する関連図情報を表示させるユーザの操作の利便性を向上させることが可能となる。
【００２４】
また、閲覧システム１は、関連図情報に関連した都市高速道路の形状が細長い線形の形状であっても、管理図情報上で領域情報を選択することで関連図情報を表示させることができる。これにより、閲覧システム１は、細長い線形形状の都市高速道路の線画を選択することなく関連図情報を表示させることができ、ユーザの操作の利便性を向上させることが可能となる。また、閲覧システム１は、地図情報と関連図情報とが互いに異なるデータ形式であっても、地図情報を表示する管理図表示画面に対するユーザ操作に連動して、関連図表示画面を表示させることが可能となる。
【００２５】
（閲覧システム１の構成）
図１は、閲覧システム１の概略構成の一例を示す図である。
【００２６】
閲覧システム１は、複数のユーザのそれぞれが操作する複数のユーザ端末２と、サーバ３とを備える。ユーザ端末２とサーバ３は、例えば、インターネット４等の通信ネットワークを介して相互に接続される。ユーザ端末２で実行されるプログラム（例えば、表示制御プログラム）と、サーバ３で実行されるプログラム（例えば、管理プログラム）とは、ハイパーテキスト転送プロトコル（Hypertext Transfer Protocol, HTTP）等の通信プロトコルを用いて通信を行う。
【００２７】
（ユーザ端末２の構成）
図２は、ユーザ端末２の概略構成の一例を示す図である。
【００２８】
ユーザ端末２は、地図情報及び関連図情報の閲覧処理を実行するとともに、インターネット４を介してサーバ３に接続し、サーバ３と通信を行う。ユーザ端末２は、ユーザの操作に応じて、地図情報及び関連図情報の閲覧を制御する。また、ユーザ端末２は、サーバ３から地図情報及び関連図情報を受信して地図情報及び関連図情報の閲覧を制御する。そのために、ユーザ端末２は、端末通信部２１と、端末記憶部２２と、入力部２３と、表示部２４と、端末処理部２５とを備える。
【００２９】
なお、本実施形態では、ユーザ端末２としてはパーソナルコンピュータ（personal computer, PC）を想定するが、本発明はこれに限定されない。ユーザ端末２は、本発明が適用可能であればよく、例えば、多機能携帯電話（所謂「スマートフォン」）、携帯電話（所謂「フィーチャーフォン」）、携帯情報端末（Personal Digital Assistant, PDA）、携帯ゲーム機、携帯音楽プレーヤ、タブレット端末、タブレットＰＣ、ノートＰＣ等の情報処理装置でもよい。
【００３０】
端末通信部２１は、通信インターフェース回路を備え、ユーザ端末２をインターネット４等のネットワークに接続する。端末通信部２１は、ネットワークを介して端末処理部２５から供給されたデータをサーバ３等に送信する。また、端末通信部２１は、ネットワークを介してサーバ３等から受信したデータを端末処理部２５に供給する。
【００３１】
端末記憶部２２は、例えば、半導体メモリ、磁気ディスク装置、半導体記憶装置、又は光ディスク装置のうちの少なくともいずれか一つを備える。端末記憶部２２は、端末処理部２５での処理に用いられるオペレーティングシステムプログラム、ドライバプログラム、アプリケーションプログラム、データ等を記憶する。例えば、端末記憶部２２は、ドライバプログラムとして、入力部２３を制御する入力デバイスドライバプログラムや、表示部２４を制御する出力デバイスドライバプログラム等を記憶する。また、端末記憶部２２は、アプリケーションプログラムとして、ユーザが入力部２３を操作することによって入力された各種要求データ及びサーバ３から取得した地図情報及び関連図情報等に基づいて地図情報及び関連図情報の閲覧を実行する。なお、端末記憶部２２は、データとして、サーバ３から取得された地図情報及び関連図情報等を記憶する。さらに、端末記憶部２２は、所定の処理に係る一時的なデータを一時的に記憶してもよい。
【００３２】
入力部２３は、ユーザ端末２の操作が可能であればどのようなデバイスでもよく、例えば、キーボード、マウス、タッチパッド、タッチパネル等である。ユーザは、入力部２３を用いて、文字や数字、記号等を入力し、表示画面上の位置を指定することができる。入力部２３は、ユーザにより操作されると、その操作に対応する信号を発生する。そして、発生した信号は、ユーザの指示として、端末処理部２５に供給される。
【００３３】
表示部２４は、映像や画像等の表示が可能であればどのようなデバイスでもよく、例えば、液晶ディスプレイや有機ＥＬ（Electro−Luminescence）ディスプレイ等である。表示部２４は、端末処理部２５から供給された地図情報及び関連図情報又は画像データに応じた画像等を表示する。
【００３４】
端末処理部２５は、一又は複数個のプロセッサ及びその周辺回路を備える。端末処理部２５は、ユーザ端末２の全体的な動作を統括的に制御するものであり、例えば、ＣＰＵ（Central Processing Unit）である。端末処理部２５は、ユーザ端末２の各種処理が端末記憶部２２に記憶されているプログラムや入力部２３の操作等に基づいて適切な手順で実行されるように、端末通信部２１や表示部２４等の動作を制御する。端末処理部２５は、端末記憶部２２に記憶されているプログラム（オペレーティングシステムプログラムやドライバプログラム、アプリケーションプログラム等）に基づいて処理を実行する。また、端末処理部２５は、複数のプログラム（アプリケーションプログラム等）を並列に実行することができる。
【００３５】
端末処理部２５は、少なくとも端末送信部２５１、端末受信部２５２、表示制御部２５３及び制御部２５４を備える。これらの各部は、端末処理部２５が備えるプロセッサで実行されるプログラムにより実現される機能モジュールである。あるいは、これらの各部は、ファームウェアとしてユーザ端末２に実装されてもよい。
【００３６】
（サーバ３の構成）
図３は、サーバ３の概略構成の一例を示す図である。サーバ３は、サーバ通信部３１と、サーバ記憶部３２と、サーバ処理部３３とを備える。
【００３７】
サーバ通信部３１は、サーバ３をインターネット４に接続するための通信インターフェース回路を備え、インターネット４との間で通信を行う。そして、サーバ通信部３１は、ユーザ端末２等から受信したデータをサーバ処理部３３に供給する。また、サーバ通信部３１は、サーバ処理部３３から供給されたデータをユーザ端末２等に送信する。
【００３８】
サーバ記憶部３２は、例えば、磁気テープ装置、磁気ディスク装置、又は光ディスク装置のうちの少なくとも一つを備える。サーバ記憶部３２は、サーバ処理部３３での処理に用いられるオペレーティングシステムプログラム、ドライバプログラム、アプリケーションプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部３２にインストールされてもよい。また、サーバ記憶部３２は、データとして、各画面を表示するための表示データ、管理図情報及び関連図情報を表示するためのデータ、並びに、後述する施設テーブル、管理図テーブル、関連図テーブル等を記憶する。
【００３９】
サーバ処理部３３は、一又は複数個のプロセッサ及びその周辺回路を備える。サーバ処理部３３は、サーバ３の全体的な動作を統括的に制御するものであり、例えば、ＣＰＵである。サーバ処理部３３は、サーバ３の各種処理がサーバ記憶部３２に記憶されているプログラム等に基づいて適切な手順で実行されるように、サーバ通信部３１等の動作を制御する。サーバ処理部３３は、サーバ記憶部３２に記憶されているプログラム（オペレーティングシステムプログラムやドライバプログラム、アプリケーションプログラム等）に基づいて処理を実行する。また、サーバ処理部３３は、複数のプログラム（アプリケーションプログラム等）を並列に実行することができる。
【００４０】
サーバ処理部３３は、判定部３３１と、画面作成部３３２と、管理図情報抽出部３３３と、関連図情報抽出部３３４と、送信部３３５とを有する。サーバ処理部３３が有するこれらの各部は、サーバ処理部３３が有するプロセッサ上で実行されるプログラムによって実装される機能モジュールである。あるいは、サーバ処理部３３が有するこれらの各部は、独立した集積回路、マイクロプロセッサ、又はファームウェアとしてサーバ３に実装されてもよい。
【００４１】
図４は、ユーザ端末２の表示部２４に表示されるメニュー画面４００の一例を示す図である。メニュー画面４００には、都市高速道路の略地図４０１及び施設名称ボタン４０２が表示される。
【００４２】
図４に示される略地図４０１は、都市高速道路の線形の形状をデフォルメした線画である。施設名称ボタン４０２は、都市高速道路を特定の区分で分類した場合における各区分の名称が表示されたボタンであり、ユーザによる入力部２３の操作に応じて選択される。図４に示される施設名称ボタン４０２では、首都高速道路を区分した各路線の名称が表示される。
【００４３】
図５は、地図情報の一例について説明するための模式図である。図５に示されるとおり、地図情報には、都市高速道路の形状に沿った所定範囲の領域内の各種管理図情報５００が含まれる。例えば、図５に示される各種管理図情報は、図４に示される地図範囲４０３内の管理図情報である。ユーザは、施設名称ボタン４０２又は後述する場所指定情報７１１を指定する操作を行うと、施設名称ボタン４０２又は場所指定情報７１１に対応する地図情報のうちの一部の範囲５０１が指定される。図６は、後述する管理図表示画面７０１の一例について説明するための模式図である。管理図表示画面７０１には、図５に示される一部の範囲５０１に含まれる地図情報が表示される。
【００４４】
図７は、ユーザ端末２によって表示される管理図閲覧画面７００の一例を示す図である。管理図閲覧画面７００は、図４に示される施設名称ボタン４０２がユーザによって選択された場合に表示される画面である。管理図閲覧画面７００には、管理図表示画面７０１、通常ポインタ７０３、管理図切替画面７０４、管理図切替ボタン７０５、階層切替ボタン７０６、ガイド画面７０７、ガイド枠７０８、メニューボタン７０９、場所指定画面７１０、場所指定情報７１１が表示される。
【００４５】
管理図表示画面７０１は、施設名称ボタン４０２に対応する都市高速道路のうち、所定の場所を中心とした地図情報が表示される。図７に示される管理図表示画面７０１には、都市高速道路の平面図情報及び電気管理図情報を含む地図情報が表示されている。なお、平面図情報及び電気管理図情報は、管理図情報の一例である。
【００４６】
領域情報７０２は、管理図情報上に透明に配置されたベクトル形式のオブジェクトであり、管理図表示画面７０１上には視認可能に表示されない。領域情報７０２は、地図情報に含まれ且つ所定の管理図情報に対応付けられた関連領域を指定する情報である。ユーザが、通常ポインタ７０３を領域情報７０２によって指定される関連領域内に移動させ、領域情報７０２を指定する入力を行うと、指定された領域情報７０２が特定される。なお、通常ポインタ７０３が領域情報７０２によって指定される関連領域内に移動すると、通常ポインタ７０３は、後述する領域ポインタに変更する。そして、特定された領域情報７０２に対応する関連図情報が管理図表示画面７０１に表示される。
【００４７】
管理図切替画面７０４は、管理図表示画面７０１において、複数の種類の管理図情報のそれぞれの表示及び非表示を切り替えるための操作画面である。管理図切替画面７０４には、管理図切替ボタン７０５及び階層切替ボタン７０６が表示される。
【００４８】
管理図切替ボタン７０５は、管理図表示画面７０１に表示される地図情報に含まれる管理図情報を切り替えるためのボタンである。図７に示される管理図表示画面７０１では、「橋脚番号」、「平面図」、「電気管理図」、「交通管制」、「設備管理図」、「料金所／ＰＡ」、「安全対策図」、「街路図」、「用地図」及び「敷地図」の８種類の管理図の表示及び非表示を切り替える管理図切替ボタン７０５が表示される。ユーザは、管理図切替ボタン７０５を選択操作することによって、同時に８種類までの管理図を重畳表示させることが可能である。例えば、図７に示される管理図表示画面７０１では、沿道地図情報の上に、「平面図」情報及び「電気管理図」情報が重畳されて表示される。なお、「沿道地図」のボタンは、街路、建物外形及び河川等が表示された沿道地図情報の表示及び非表示を切り替えるためのボタンである。
【００４９】
なお、「橋脚番号」は、ユーザ（道路管理者等）によって管理される都市高速道路の高架道路における橋脚の番号を管理するための管理図である。また、「平面図」は、管理される都市高速道路の平面図である。また、「電気管理図」は、管理される都市高速道路に関する電気設備の管理図である。また、「交通管制」は、管理される都市高速道路の電気設備の中から交通管制機器のみを抽出した管理図である。また、「設備管理図」は、管理される都市高速道路に関するトンネル防災設備の管理図である。また、「料金所／ＰＡ」は、管理される都市高速道路の料金所、ＰＡ（パーキングエリア）、換気所及びトンネル非常口の位置をアイコンで管理する管理図である。また、「安全対策図」は、管理される都市高速道路の安全対策設備に関する管理図である。また、「街路図」は、管理される都市高速道路周辺の街路に関する管理図である。また、「用地図」は、管理される都市高速道路の用地に関する管理図である。また、「敷地図」は、管理される都市高速道路における構造物の敷地に関する管理図である。
【００５０】
なお、閲覧システム１において、「平面図」情報に対応して、「一般しゅん功図」情報が管理される。また、閲覧システム１において、「電気管理図」情報に対応して、「電気管理用図」情報が管理される。また、閲覧システム１において、「交通管制」情報に対応して、「交通管制機器配置図」情報が管理される。また、閲覧システム１において、「設備管理図」情報に対応して、「機械管理用図面」情報が管理される。また、閲覧システム１において、「料金所／ＰＡ」情報に対応して、「料金所・ＰＡ・換気所・トンネル非常口」情報が管理される。また、閲覧システム１において、「街路図」情報に対応して、「街路フェンス台帳」情報が管理される。なお、「橋脚番号」情報、「安全対策図」情報、「用地図」情報及び「敷地図」情報に対応する関連図情報は、閲覧システム１において管理されていない。なお、「平面図」情報、「電気管理図」情報、「交通管制」情報、「設備管理図」情報、「料金所／ＰＡ」情報、「街路図」情報、「橋脚番号」情報、「安全対策図」情報、「用地図」情報及び「敷地図」情報は、それぞれ管理図情報の一例である。また、「一般しゅん功図」情報、「電気管理用図」情報、「交通管制機器配置図」情報、「機械管理用図面」情報、「料金所・ＰＡ・換気所・トンネル非常口」情報及び「街路フェンス台帳」情報は、それぞれ関連図情報の一例である。
【００５１】
階層切替ボタン７０６は、複数の管理図情報のうち、都市高速道路の構造物の高さ方向に分類された複数の階層構造を有する特定の管理図情報に対して有効となるボタンである。ユーザが、階層切替ボタン７０６の表示に切り替えると、特定の管理図情報のうちいずれかの階層で管理される管理図に切り替えて表示させる。例えば、図７に示される管理図表示画面７０１では、「電気管理図」情報及び「交通管制」情報に対して、階層切替ボタン７０６が有効となる。
【００５２】
ガイド画面７０７は、管理図表示画面７０１に表示される地図情報の範囲及び当該範囲の周辺を含む地図が表示される画面である。ガイド画面７０７内に表示された地図中のガイド枠７０８は、管理図表示画面７０１に表示される地図情報の範囲を示す外枠である。これにより、管理図表示画面７０１よりも広い範囲の地図中において、どの範囲の地図情報が管理図表示画面７０１に表示されているかをユーザに提示することが可能となる。
【００５３】
メニューボタン７０９は、路線選択ボタン、印刷ボタン、保存ボタン、説明ボタン及び地図ボタンが表示される。路線選択ボタンがユーザによって選択されると、図４に示されるメニュー画面４００が表示される。印刷ボタン又は保存ボタンがユーザによって選択されると、表示中の管理図表示画面７０１の画像が印刷又は保存される。また、説明ボタンがユーザによって選択されると、管理図閲覧画面７００の操作方法の説明が表示される。そして、地図ボタンがユーザによって選択されると、ネットワークを介して外部サーバから送信された地図サイトが表示される。
【００５４】
場所指定画面７１０は、管理図表示画面７０１に表示する都市高速道路の表示位置を指定するための画面である。場所指定画面７１０には、それぞれが都市高速道路の設置場所を示す複数の場所指定情報７１１が表示される。ユーザが、場所指定情報７１１を指定する操作を行うと、場所指定情報７１１に示される場所を中心とした一部の範囲の地図情報が管理図表示画面７０１に表示される。
【００５５】
図８は、図７に示される管理図表示画面７０１に表示された地図情報を構成する各レイヤの一例について説明するための模式図である。
【００５６】
図７に示される管理図表示画面７０１では、「沿道地図」、「電気管理図」及び「平面図」の表示が選択されているため、図８に示されるとおり、管理図表示画面７０１には、沿道地図情報のレイヤ８００、「電気管理図」情報のレイヤ８０１、電気管理図に対応する領域情報のレイヤ８０２、「平面図」情報のレイヤ８０３、及び平面図に対応する領域情報のレイヤ８０４が、重畳されて表示される。
【００５７】
領域情報のレイヤ８０２及び８０４の各関連領域を指定する領域情報は、透明に描画されて配置されているため、管理図表示画面７０１には表示されない。また、領域情報のレイヤが重畳される場合、領域情報のレイヤのうち、予め定められた優先度情報が最も高い管理図情報に対応する領域情報のレイヤだけが重畳される。図８に示される領域情報のレイヤ８０２及び８０４では、「平面図」情報の優先度情報が、「電気管理図」情報の優先度情報よりも高いため、領域情報のレイヤ８０４だけが他のレイヤ８００、８０１及び８０３と重畳される。なお、図８に示される地図情報を構成するレイヤは、２種類の管理図情報と、当該２種類の管理図情報に対応する関連図情報に対応する領域情報のレイヤと、沿道地図情報のレイヤであるが、他のレイヤの構成であってもよい。例えば、１種類の管理図情報と当該１種類の管理図情報に対応する関連図情報に対応する領域情報のレイヤだけで構成された地図情報でも、３種類以上の管理図情報と当該３種類以上の管理図情報に対応する関連図情報に対応する領域情報のレイヤで構成された地図情報でもよい。また、地図情報に、沿道地図情報のレイヤ８００が含まれなくてもよい。なお、管理図情報のレイヤの選択は、管理図切替ボタン７０５の選択によって行われる。また、管理図切替ボタン７０５によって管理図情報のレイヤが選択された場合、当該選択された管理図情報のレイヤに対応する領域情報のレイヤが自動的に選択される。
【００５８】
（閲覧機能の概要）
図９は、ユーザ端末２が有する閲覧機能の一例について説明するための画面遷移図である。以下、図９を参照しつつ、本実施形態のユーザ端末２による都市高速道路の閲覧機能について説明する。
【００５９】
図９の（Ａ）には、管理図表示画面７０１に表示される地図情報の一例が示されている。図９の（Ａ）に示されるように、管理図情報上に領域情報が透明に配置されているため、管理図表示画面７０１には、領域情報が視認可能に表示されない。これにより、管理図情報の視認性が向上し、ユーザが容易に管理図情報を閲覧することが可能となる。
【００６０】
図９の（Ａ）に示されるように、管理図表示画面７０１には、通常ポインタ７０３が表示される。ユーザは、入力部を操作することによって、管理図表示画面７０１上の任意の位置に通常ポインタ７０３を移動させることが可能である。また、ユーザは、移動させた通常ポインタ７０３を用いて、管理図表示画面７０１に表示された各都市高速道路又はアイコン等を指定することが可能である。
【００６１】
次に、図９の（Ｂ）に示されるように、ユーザが、通常ポインタ７０３を、領域情報７０２によって指定される関連領域内に移動させると、通常ポインタ７０３は領域ポインタ７１２に変更する。なお、領域ポインタ７１２が関連領域外に移動すると、領域ポインタ７１２は通常ポインタ７０３に変更する。
【００６２】
領域ポインタ７１２が表示されている状態で、ユーザが入力部を介して領域情報７０２を指定する入力を行うと、指定された領域情報７０２が特定される。すなわち、ユーザ端末２が、ユーザによって指定された位置が関連領域内に存在すると判定した場合、指定された位置に存在する関連領域を指定する領域情報７０２を特定する。
【００６３】
次に、ユーザ端末２は、特定された領域情報７０２に対応した関連図情報の送信を要求する関連図情報送信要求をサーバ３に送信する。
【００６４】
次に、サーバ３は、ユーザ端末２から関連図情報送信要求を受信すると、受信した関連図情報送信要求によって示される関連図情報を特定し、特定された関連図情報を、関連図情報送信要求を送信したユーザ端末２に送信する。
【００６５】
次に、関連図情報送信要求を送信したユーザ端末２が、関連図情報送信要求に応じた関連図情報をサーバ３から受信する。そして、ユーザ端末２は、受信した関連図情報を、管理図表示画面７０１とは異なる関連図表示画面７１３に表示する。なお、関連図表示画面７１３は、第２表示画面の一例である。
【００６６】
（各種テーブル）
サーバ記憶部３２に記憶された施設テーブル、管理図テーブル及び関連図テーブルについて説明する。図１０（ａ）には、施設テーブルが示されている。施設テーブルには、各都市高速道路について、当該都市高速道路の施設ＩＤ（Identification）、場所情報、管理図ＩＤ等が関連付けて記憶される。施設ＩＤは、当該都市高速道路を他の都市高速道路と識別するための識別情報である。場所情報は、場所指定画面７１０に表示される複数の場所指定情報７１１に対応する情報であり、場所ＩＤ、名称及び位置が記憶される。管理図ＩＤは、当該都市高速道路を管理するための管理図情報を特定するための識別情報であり、場所指定画面７１０に表示される複数の管理図切替ボタン７０５に対応する情報である。
【００６７】
図１０（ｂ）には、管理図テーブルが示されている。管理図テーブルには、各管理図情報について、当該管理図情報の管理図ＩＤ、形状情報、領域情報及び優先度情報等が関連付けて記憶される。管理図ＩＤは、当該管理図情報を他の管理図情報と識別するための識別情報である。形状情報は、当該管理図情報を管理図表示画面７０１に表示するためのベクトル形式のデータであり、形状情報には、管理図情報に含まれる各オブジェクトを識別するためのオブジェクトＩＤ及びベクトル情報が記憶される。ベクトル情報は、緯度及び経度の座標列で表される。領域情報は、領域情報の形状及び対応する関連図情報を管理するための情報であり、領域情報には、領域ＩＤ、形状情報及び関連図ＩＤが記憶される。形状情報は、領域情報に対応する関連領域の形状を示すためのベクトル情報である。関連図ＩＤは、当該領域情報に対応する関連図情報を識別するための識別情報である。
【００６８】
図１０（ｃ）には、関連図テーブルが示されている。関連図テーブルには、各関連図情報について、当該関連図情報の関連図ＩＤ及び関連図ファイル名称等が関連付けて記憶される。関連図ＩＤは、当該関連図情報を他の関連図情報と識別するための識別情報である。関連図ファイル名称は、関連図情報を表示するために特定のデータ形式でファイル化されたデータの名称情報である。
【００６９】
（閲覧システム１の動作シーケンス）
図１１は、閲覧システム１の動作シーケンスの一例を示す図である。この動作シーケンスは、予め端末記憶部２２及びサーバ記憶部３２に記憶されているプログラムに基づいて、主に端末処理部２５及びサーバ処理部３３により、ユーザ端末２及びサーバ３の各要素と協働して実行される。
【００７０】
最初に、ユーザのユーザ端末２の端末送信部２５１は、ユーザによる入力部２３の操作に応じて、メニュー画面要求をサーバ３に端末通信部２１を介して送信する（ステップＳ１０１）。
【００７１】
次に、サーバ３の送信部３３５は、ユーザ端末２からサーバ通信部３１を介してメニュー画面要求を受信すると、メニュー画面要求に対応するメニュー画面４００を表示するための表示データを、サーバ通信部３１を介してユーザ端末２に送信する（ステップＳ１０２）。
【００７２】
次に、ユーザ端末２の端末受信部２５２は、サーバ３から端末通信部２１を介して表示データを受信すると、表示制御部２５３に表示データを渡す。次に、表示制御部２５３は、端末受信部２５２から受け取った表示データに基づいて、表示部２４にメニュー画面４００を表示する（ステップＳ１０３）。
【００７３】
次に、ユーザ端末２の端末送信部２５１は、ユーザによる入力部２３の操作に応じてメニュー画面４００に表示された施設名称ボタン４０２が選択されると、施設名称ボタン４０２に対応する施設情報を含む管理図閲覧画面要求を、端末通信部２１を介してサーバ３に送信する（ステップＳ１０４）。
【００７４】
次に、サーバ３の送信部３３５は、ユーザ端末２からサーバ通信部３１を介して管理図閲覧画面要求を受信すると、管理図閲覧画面要求に含まれる施設情報に対応した平面図を含む地図情報を、管理図閲覧画面７００を表示するための表示データとともに、サーバ通信部３１を介してユーザ端末２に送信する（ステップＳ１０５）。
【００７５】
次に、ユーザ端末２の端末受信部２５２は、サーバ３から端末通信部２１を介して表示データ及び地図情報を受信すると、表示制御部２５３に表示データ及び地図情報を渡す。次に、表示制御部２５３は、端末受信部２５２から受け取った表示データに基づいて、表示部２４に管理図閲覧画面７００を表示する（ステップＳ１０６）。なお、表示制御部２５３は、管理図閲覧画面７００内の管理図表示画面７０１に、受信した地図情報を表示する。
【００７６】
次に、ユーザ端末２の表示制御部２５３及び制御部２５４は、閲覧要求作成処理を実行する（ステップＳ１０７）。閲覧要求作成処理の詳細については後述する。
【００７７】
次に、ユーザ端末２の端末送信部２５１は、閲覧要求作成処理によって作成された各種閲覧要求を、端末通信部２１を介してサーバ３に送信する（ステップＳ１０８）。
【００７８】
次に、サーバ３の判定部３３１、画面作成部３３２、管理図情報抽出部３３３、関連図情報抽出部３３４は、ユーザ端末２からサーバ通信部３１を介して各種閲覧要求を受信すると、各種閲覧要求のそれぞれに対応した表示データを作成する画面作成処理を実行する（ステップＳ１０９）。画面作成処理の詳細については後述する。
【００７９】
次に、サーバ３の送信部３３５は、画面作成処理によって作成された各表示データを、サーバ通信部３１を介してユーザ端末２に送信する（ステップＳ１１０）。
【００８０】
次に、ユーザ端末２の端末受信部２５２は、サーバ３から端末通信部２１を介して各表示データを受信すると、表示制御部２５３に各表示データを渡す。そして、表示制御部２５３は、端末受信部２５２から受け取った各表示データに基づいて、表示部２４に各種画面を表示する（ステップＳ１１１）。なお、表示制御部２５３は、受け取った表示データが、地図情報表示データである場合、地図情報に含まれる各管理図情報を予め定められた順に重畳し、優先度情報の最も高い管理図情報に対応する領域情報を透明にして重畳（配置）し、管理図表示画面に表示する。以上で、閲覧システム１の動作シーケンスは終了する。
【００８１】
（閲覧要求作成処理）
図１２は、制御部２５４による閲覧要求作成処理の動作フローの一例を示す図である。図１２に示す閲覧要求作成処理は、図１１のステップＳ１０７において実行される。
【００８２】
最初に、ユーザ端末２の制御部２５４は、ユーザによる入力部２３の操作に応じた入力を判定するユーザ入力判定処理を実行する（ステップＳ２０１）。ユーザ入力判定処理の詳細については後述する。
【００８３】
次に、制御部２５４は、ユーザ入力判定処理によって、場所ＩＤの入力が判定されたか否かを判定する（ステップＳ２０２）。
【００８４】
ユーザ入力判定処理によって、場所ＩＤの入力が判定された場合（ステップＳ２０２−Ｙｅｓ）、制御部２５４は、ユーザ入力判定処理によって特定された場所ＩＤを含む地図情報送信要求を作成し（ステップＳ２０３）、一連のステップを終了する。なお、地図情報送信要求は、第１送信要求の一例である。
【００８５】
ユーザ入力判定処理によって、管理図ＩＤの入力又は領域情報内の位置指定の入力が判定された場合（ステップＳ２０２−Ｎｏ）、制御部２５４は、ユーザ入力判定処理によって、管理図ＩＤの入力が判定されたか否かを判定する（ステップＳ２０４）。
【００８６】
ユーザ入力判定処理によって、管理図ＩＤの入力が判定された場合（ステップＳ２０４−Ｙｅｓ）、制御部２５４は、ユーザ入力判定処理によって特定された管理図ＩＤを含む管理図情報切替要求を作成し（ステップＳ２０５）、一連のステップを終了する。なお、管理図情報切替要求は、第１送信要求の一例である。
【００８７】
ユーザ入力判定処理によって、領域情報内の位置指定の入力が判定された場合（ステップＳ２０４−Ｎｏ）、制御部２５４は、ユーザ入力判定処理によって特定された領域ＩＤを含む関連図情報送信要求を作成し（ステップＳ２０６）、一連のステップを終了する。なお、関連図情報送信要求は、第２送信要求の一例である。
【００８８】
（ユーザ入力判定処理）
図１３は、制御部２５４によるユーザ入力判定処理の動作フローの一例を示す図である。図１３に示すユーザ入力判定処理は、図１２のステップＳ２０１において実行される。
【００８９】
最初に、ユーザ端末２の制御部２５４は、ユーザによる入力部２３の操作に応じた入力が場所ＩＤの入力であるか否かを判定する（ステップＳ３０１）。すなわち、制御部２５４は、ユーザが入力部２３の操作によって、場所指定画面７１０に表示された場所指定情報７１１のいずれかが指定されたか否かを判定する。
【００９０】
制御部２５４は、ユーザによる入力部２３の操作に応じた入力が場所ＩＤの入力であると判定した場合（ステップＳ３０１−Ｙｅｓ）、指定された場所指定情報７１１に対応付けられた場所ＩＤを特定し（ステップＳ３０２）、一連のステップを終了する。
【００９１】
次に、制御部２５４は、ユーザによる入力部２３の操作に応じた入力が管理図ＩＤの入力又は位置指定の入力であると判定した場合（ステップＳ３０１−Ｎｏ）、ユーザによる入力部２３の操作に応じた入力が管理図ＩＤの入力であるか否かを判定する（ステップＳ３０３）。すなわち、制御部２５４は、ユーザが入力部２３の操作によって、管理図切替画面７０４に表示された管理図切替ボタン７０５が、表示から非表示に変更されたか又は非表示から表示に変更されたかを判定する。
【００９２】
制御部２５４は、ユーザによる入力部２３の操作に応じた入力が管理図ＩＤの入力であると判定した場合（ステップＳ３０３−Ｙｅｓ）、表示に設定された管理図切替ボタン７０５に対応付けられた管理図ＩＤを特定し（ステップＳ３０４）、一連のステップを終了する。
【００９３】
次に、制御部２５４は、ユーザによる入力部２３の操作に応じた入力が位置指定の入力であると判定した場合（ステップＳ３０３−Ｎｏ）、ユーザによる入力部２３の操作に応じて入力された位置を特定する（ステップＳ３０５）。
【００９４】
次に、制御部２５４は、ユーザによる入力部２３の操作に応じて入力された位置が領域情報内に存在するか否かを判定する（ステップＳ３０６）。
【００９５】
制御部２５４は、ユーザによる入力部２３の操作に応じて入力された位置が領域情報内に存在しないと判定した場合（ステップＳ３０６−Ｎｏ）、一連のステップを終了する。
【００９６】
制御部２５４は、ユーザによる入力部２３の操作に応じて入力された位置が領域情報内に存在すると判定した場合（ステップＳ３０６−Ｙｅｓ）、入力された位置を含む領域情報の領域ＩＤを特定し（ステップＳ３０７）、一連のステップを終了する。
【００９７】
（画面作成処理）
図１４は、サーバ３の判定部３３１、画面作成部３３２、管理図情報抽出部３３３、関連図情報抽出部３３４による画面作成処理の動作フローの一例を示す図である。図１４に示す画面作成処理は、図１１のステップＳ１０９において実行される。
【００９８】
最初に、サーバ３の判定部３３１は、ユーザ端末２から送信された閲覧要求が、地図情報送信要求、管理図情報切替要求及び関連図情報送信要求の何れであるかを特定する（ステップＳ４０１）。
【００９９】
制御部２５４は、ユーザ端末２から送信された閲覧要求が、地図情報送信要求であると特定した場合（ステップＳ４０２−Ｙｅｓ）、画面作成部３３２は、地図情報表示データを作成し（ステップＳ４０３）、一連のステップを終了する。まず、画面作成部３３２は、地図情報送信要求に含まれる場所ＩＤを、管理図情報抽出部３３３に渡す。そして、管理図情報抽出部３３３は、施設テーブル及び管理図テーブルを参照し、受け取った場所ＩＤに対応する位置を中心とした所定範囲の一部の地図情報（管理図ＩＤに対応する形状情報及び領域情報）を抽出し、抽出した一部の地図情報を画面作成部３３２に渡す。画面作成部３３２は、受け取った一部の地図情報に基づいて、地図情報表示データを作成する。
【０１００】
制御部２５４は、ユーザ端末２から送信された閲覧要求が、管理図情報切替要求又は関連図情報送信要求であると判定した場合（ステップＳ４０２−Ｎｏ）、ユーザ端末２から送信された閲覧要求が、管理図情報切替要求であると特定したか否かを判定する（ステップＳ４０４）。
【０１０１】
制御部２５４は、ユーザ端末２から送信された閲覧要求が、管理図情報切替要求であると判定した場合（ステップＳ４０４−Ｙｅｓ）、画面作成部３３２は、地図情報表示データを作成し（ステップＳ４０５）、一連のステップを終了する。まず、画面作成部３３２は、管理図情報切替要求に含まれる管理図ＩＤを、管理図情報抽出部３３３に渡す。そして、管理図情報抽出部３３３は、施設テーブル及び管理図テーブルを参照し、受け取った管理図ＩＤに対応する所定範囲の一部の地図情報（管理図ＩＤに対応する形状情報及び領域情報）を抽出し、抽出した一部の地図情報を画面作成部３３２に渡す。画面作成部３３２は、受け取った一部の地図情報に基づいて、地図情報表示データを作成する。
【０１０２】
制御部２５４は、ユーザ端末２から送信された閲覧要求が、関連図情報送信要求であると判定した場合（ステップＳ４０４−Ｎｏ）、画面作成部３３２は、関連図情報表示データを作成し（ステップＳ４０６）、一連のステップを終了する。まず、画面作成部３３２は、関連図情報切替要求に含まれる領域ＩＤを、関連図情報抽出部３３４に渡す。そして、関連図情報抽出部３３４は、管理図テーブル及び関連図テーブルを参照し、受け取った領域ＩＤに対応する関連図ＩＤに関連付けられた関連図ファイルのデータを抽出し、抽出した関連図ファイルのデータを画面作成部３３２に渡す。画面作成部３３２は、受け取った関連図ファイルのデータに基づいて、関連図情報表示データを作成する。
【０１０３】
このように、閲覧システム１は、管理図情報と、管理図情報内の一又は複数の透明の領域情報とを管理図表示画面に表示する。そして、ユーザによって指定された位置が、領域情報によって指定される関連領域内に存在すると判定した場合、領域情報に対応した関連図情報をサーバ３から受信することができる。これにより、ユーザ端末２及びサーバ３を有する閲覧システム１は、管理図表示画面に表示された管理図情報に対応する関連図情報を表示させるユーザの操作の利便性を向上させることが可能となる。
【０１０４】
また、関連図情報に関連した都市高速道路の形状が細長い線形の形状であっても、管理図情報上で領域情報を選択することで関連図情報を表示させることができる。これにより、細長い線形形状の都市高速道路を選択することなく関連図情報を表示させることができ、ユーザの操作の利便性を向上させることが可能となる。また、地図情報と関連図情報とが、互いに異なるデータ形式であっても、地図情報を表示する管理図表示画面に対するユーザ操作に連動して、関連図表示画面を表示させることが可能となる。
【０１０５】
当業者は、本発明の精神及び範囲から外れることなく、様々な変更、置換、及び修正をこれに加えることが可能であることを理解されたい。
【符号の説明】
【０１０６】
１    閲覧システム
２    ユーザ端末
２１    端末通信部
２２    端末記憶部
２３    入力部
２４    表示部
２５    端末処理部
２５１    端末送信部
２５２    端末受信部
２５３    表示制御部
２５４    制御部
３    サーバ
３１    サーバ通信部
３２    サーバ記憶部
３３    サーバ処理部
３３１    判定部
３３２    画面作成部
３３３    管理図情報抽出部
３３４    関連図情報抽出部
３３５    送信部
【要約】
【課題】本発明は、表示画面に表示された管理図情報に対応する関連図情報を表示させるユーザの操作の利便性を向上させることを可能とする閲覧システム等を提供する。
【解決手段】本発明に係る閲覧システムは、ユーザ端末及びユーザ端末と通信するサーバを有する閲覧システムであって、ユーザ端末は、所定の場所に対応した地図情報の一部の送信を要求する第１送信要求をサーバに送信し、第１送信要求に応じた地図情報に含まれる一部の管理図情報上に、一部の管理図情報内の所定の領域を指定する領域情報を透明にして配置するようにして、第１表示画面に表示し、入力部が指定した位置に存在する領域情報を特定し、特定された領域情報に対応した関連図情報の送信を要求する第２送信要求をサーバに送信し、第２送信要求に応じた関連図情報をサーバから受信し、受信された関連図情報を、第１表示画面とは異なる第２表示画面に表示する。
【選択図】図８【図１】
0006029788.tif 000002
【図２】
0006029788.tif 000003
【図３】
0006029788.tif 000004
【図４】
0006029788.tif 000005
【図８】
0006029788.tif 000006
【図９】
0006029788.tif 000007
【図１０】
0006029788.tif 000008
【図１１】
0006029788.tif 000009
【図１２】
0006029788.tif 000010
【図１３】
0006029788.tif 000011
【図１４】
0006029788.tif 000012
【図５】
0006029788.tif 000013
【図６】
0006029788.tif 000014
【図７】
0006029788.tif 000015